(57)【特許請求の範囲】
【請求項１】
計測対象空間から供給される空気中に含まれるダストを濾紙上に捕集し、そのダストから放射される放射線を計測することによって、計測対象空間に存在する放射性ダストを監視するダストモニタであって、
長尺の濾紙を所定のピッチで搬送する濾紙搬送手段と、
濾紙の搬送方向に所定の間隔で配置された複数の集塵領域と該集塵領域のいずれか１つを選択的に動作させる切り換え手段とを有するダスト捕集部と、
このダスト捕集部の下流側に配置されて、濾紙上に捕集されたダストから放射される放射線を計測する放射線検出器と、
濾紙の目詰まり状態を検知する手段と、
目詰まり検知信号の発生に基づいて、その目詰まりが計測サイクル期間中であれば、集塵領域を切り換える制御手段と、
を備えていることを特徴とするダストモニタ。
【請求項２】
前記所定のピッチと、前記所定の間隔と、ダスト捕集部の最下流の集塵領域と放射線検出器との間隔と、が同じであることを特徴とする請求項１に記載のダストモニタ。
【請求項３】
請求項２に記載のダストモニタの運転方法であって、
目詰まりした濾紙の放射線を計測する状態でない場合には、ダスト捕集部の最下流の集塵領域で所定ダスト捕集時間にわたってダストを濾紙上に捕集し、ダスト捕集終了時から所定待機時間を経過した後に、所定計測時間をかけて捕集したダストの放射線を計測し、
ダストを捕集している集塵領域上の濾紙が計測サイクル期間中に目詰まりした場合には、切り替え手段によって、ダストを捕集する集塵領域をその隣の集塵領域へ切り替え、更に、その濾紙が目詰まりした場合には次の集塵領域に切り換えるということを繰り返して、所定計測時間の放射線計測が終了するまでは濾紙を搬送せず、
放射線計測が終了して濾紙を搬送する際に、集塵状態にある濾紙位置のダスト捕集時間が所定ダスト捕集時間に達している場合には、集塵領域を切り換えず、該ダスト捕集時間が所定ダスト捕集時間に達していない場合には、集塵領域を１つ放射線検出器側に切り換える
ことを特徴とするダストモニタの運転方法。
【請求項４】
前記所定待機時間と前記所定計測時間との合計時間を所定濾紙送り時間間隔とし且つ所定ダスト捕集時間とし、
濾紙が目詰まりした場合には、所定濾紙送り時間間隔毎の放射線計測に加えて、所定濾紙送り時間間隔の途中に挿入しても、待機時間を所定待機時間以上とすることができ、且つ計測時間を所定計測時間と同じにすることができるという条件を満たす場合には、所定濾紙送り時間間隔の途中にも放射線計測を挿入して、目詰まりした濾紙位置の放射線計測を実行し、
目詰まりした濾紙位置の次の濾紙位置でのダスト捕集時間を、目詰まりを発生した所定濾紙送り時間間隔内でのダスト捕集時間分だけ所定ダスト捕集時間より延長する
ことを特徴とする請求項３に記載のダストモニタの運転方法。
【請求項５】
前記所定待機時間と前記所定計測時間との合計時間を所定濾紙送り時間間隔とし且つ所定ダスト捕集時間とし、
濾紙が目詰まりした場合には、まず待機時間を所定待機時間より短縮し、更に、計測時間を所定計測時間より短縮して、目詰まりした濾紙位置の放射線計測を１回の所定濾紙送り時間間隔内で実行し、
目詰まりした濾紙位置の次の濾紙位置でのダスト捕集時間を、目詰まりを発生した所定濾紙送り時間間隔内でのダスト捕集時間分だけ所定ダスト捕集時間より延長することを特徴とする請求項３に記載のダストモニタの運転方法。
【請求項６】
前記所定待機時間と前記所定計測時間との合計時間を所定濾紙送り時間間隔とし且つ所定ダスト捕集時間とし、
目詰まりした濾紙位置の放射線計測を、待機時間として少なくとも所定待機時間を確保した後に所定計測時間をかけて実行し、
目詰まりした濾紙位置の次の目詰まりしていない濾紙位置に対しては、目詰まりした濾紙位置の計測が終了した時点で、ダスト捕集時間が所定ダスト捕集時間に達している場合には即刻に、ダスト捕集時間が所定ダスト捕集時間に達していない場合には、ダスト捕集時間が所定ダスト捕集時間に達した時点で、濾紙が目詰まりしていない場合の所定濾紙送り時間間隔での集塵、待機及び計測のタイミングに戻す
ことを特徴とする請求項３に記載のダストモニタの運転方法。
【発明の詳細な説明】
【０００１】
【発明の属する技術分野】
この発明は、対象とする雰囲気中の空気を濾紙に通して、その空気中に存在するダスト（塵埃）を濾紙上に捕集し、そのダストから放射される放射線を放射線検出器を含む測定系で計測し、その雰囲気に含まれる放射線を放射するダスト（放射性ダスト）の種類及び濃度等を監視するためのダストモニタに関する。
【０００２】
【従来の技術】
図６はダストモニタの構成を示す概念図である。この構成のダストモニタは、ポンプ１で集塵部３を減圧し、送気管２を通してモニタリングする作業環境エリア等の計測対象空間の空気10を集塵部３に吸引して、その空気10を濾紙４に通し流量計５に通して排気系に送る。流量計５は、ダストを捕集する（以下ではダストの捕集を集塵という）ために濾紙４を通過させた空気量を知り、計測対象空間の空気10の中の放射性ダスト濃度を求めるために必要なものである。ダストモニタは、濾紙４上に捕集されたダスト６から放射される放射線を、濾紙４の直上に配置された放射線検出器（以下では検出器と略称する）７によって検出し、計測・演算処理部８で、設定パルス波高値以上のパルス波高値（パルス波高値はエネルギーに換算できる）をもつ放射線数を計測して、放射性ダストの種類及び濃度を算出し、それらを表示・警報部９に表示し、必要に応じて警報を発する。
【０００３】
図７は、濾紙４として長尺の巻紙状濾紙を用いるダストモニタのダスト捕集部（図６の集塵部３と区別するためにダスト捕集部という）近傍の従来技術による構成を示す概念図であり、図８は、このダストモニタにおける濾紙送り時間、ダスト捕集時間（以下では集塵時間という）及び放射線計測時間（以下では計測時間と略称する）等を示すタイムチャートである。なお、濾紙送り時間は数秒程度であり、時間単位の集塵時間や計測時間等に比べて十分に短いので、図８においては、搬送開始時刻も搬送終了時刻も同じ時刻で示し、以下ではそれに基づいて説明する。
【０００４】
なお、以下では、時刻T11 等を単にT11 等と記す。
濾紙４は、濾紙供給部41から供給されて濾紙巻取り部42に巻き取られる。濾紙供給部41から供給された濾紙４は、所定の濾紙送り時間間隔（T11 〜T21 、T21 〜T31 等、以下では濾紙送り時間間隔を濾紙送り間隔と略称する）毎に所定長さ（図７におけるＬ：濾紙送りピッチ）ずつ搬送され、静止した状態で吸引ヘッド31のダスト捕集部上で計測対象空間から吸引された空気10の中のダストを捕集する。したがって、所定濾紙送り間隔と集塵時間とは同じとなる。濾紙４上に捕集されたダスト６は、捕集終了直後の濾紙送り（T11 、T21 、T31 等）によって、検出器７の直下に搬送され、所定の待機時間（T11 〜T12 、T21 〜T22 等）を経過した後に、検出器７によって放射している放射線を所定の計測時間（T12 〜T21 、T22 〜T31 等）にわたって計測される。なお、当然のことながら、ダスト捕集部と検出器７との距離は濾紙送りピッチＬに設定されている。
【０００５】
参考までに、図８に示した時間例を示すと、所定濾紙送り間隔すなわち所定集塵時間は３時間、濾紙送り時間は数秒、所定待機時間は２時間、所定計測時間は１時間であり、所定待機時間と所定計測時間との合計は所定集塵時間と同じである。
所定集塵時間及び所定計測時間は、ある程度のカウント数を得て、統計誤差を少なくし、所定の計測精度を確保するという観点から決められている。
【０００６】
放射線計測（以下では計測と略称する）前に待機時間帯を設けているのは、天然放射性核種であるラドン・トロンの娘核種から放射される放射線を低減させて、この影響を軽減させ、計測対象となるウランやプルトニウム等からの放射線の計測精度を高めるためである。
以下に、更に詳しく説明する。
【０００７】
空気中には天然の放射性核種であるラドン・トロン（気体）とその娘核種を含むダストが存在する。特に、ある程度閉じられた空間の場合には、それらが閉じ込められてその濃度が高くなり、状況によっては、このラドン・トロンの娘核種による放射線量が無視できなくなってくる。気体として計測対象空間に入ってきたラドン・トロンが、崩壊してラドン・トロンの娘核種になると、ラドン・トロンの娘核種を含むダストとなる。このダストは、エアロゾル状で粒径１ミクロン以下のものを多く含み、濾紙を通過するものもあるが、濾紙の内部に捕集されるものもあり、濾紙の表面にも捕集される。しかも、ラドン・トロンの娘核種から放射される放射線は、ダストモニタが計測対象とするウランやプルトニウム等から放射される放射線（計測対象となるのはα線及びβ線）に重畳されるので、計測精度を悪くする。しかし、計測対象とするウランやプルトニウム等の半減期は十分に長いのに対して、ラドン・トロンの娘核種の中には半減期の非常に短いものを多く含んでいるので、濾紙４上にダスト６を捕集した後、例えば２時間の待機時間を設けると、半減期の短いラドン・トロンの娘核種からの放射線が大幅に低減して、全体としてのラドン・トロンの娘核種からの放射線も大幅に低減し、ダストモニタとしての精度が向上する。
【０００８】
この待機時間は、長いほどラドン・トロンの娘核種からの放射線の影響を低減できるが、監視のためには計測の時間間隔を余り長くできないという制約があるので、２時間程度までに限られる。
ラドン・トロンの娘核種の中で存在比率の大きいウラン系では、RaＡの半減期が約３分、RaＢの半減期が30分弱、RaＣの半減期が約20分であり、他の核種は秒単位以下または日単位以上である。したがって、待機時間を１〜２時間に設定すれば、RaＡを含めた短い半減期の核種の影響は殆どなくなり、RaＢ及びRaＣの影響が幾らか残る。半減期が日単位以上の核種は、密閉空間のような所で蓄積されていない限り、本来影響が少ないので、問題にはならない。
【０００９】
【発明が解決しようとする課題】
このような従来のダストモニタにおいて、計測対象空間10のダストが多くなると、待機時間を含めた計測時間（計測サイクル期間）の途中で濾紙４が目詰まりし、空気抵抗が増加してポンプ１の能力の限界を越え、所定の空気流量を維持した集塵を継続できなくなり、ポンプ１に過負荷がかかる。したがって、濾紙４が目詰まりして流量計５の流量が所定値を維持できなくなると、濾紙４を搬送して集塵位置を変えることが必要となり、検出器７の直下の計測位置にある濾紙４は、その時点で計測中であれば、計測を中断されることになり、待機時間中であれば、計測されないで搬送されてしまう。そのため、計測を中断された部分、または計測されないで搬送された部分の濾紙４は切断されて、別の装置で計測し直されることになる。
【００１０】
この発明の課題は、待機時間を含めた計測時間の途中で濾紙が目詰まりしても、上記のような濾紙の切断及びその切断濾紙の計測という面倒な作業と別の放射線計測装置とを必要としないダストモニタを提供することである。
【００１１】
【課題を解決するための手段】
請求項１及び請求項２の発明は、上記課題を解決するためのダストモニタに関する発明であり、請求項３から請求項６の発明は、そのダストモニタの運転方法に関する発明である。
請求項１の発明は、計測対象空間から供給される空気中に含まれるダストを濾紙上に捕集し、そのダストから放射される放射線を計測することによって計測対象空間に存在する放射性ダストを監視するダストモニタであって、長尺の濾紙を所定のピッチで搬送する濾紙搬送手段と、濾紙の搬送方向に所定の間隔で配置された複数の集塵領域と該集塵領域のいずれか１つを選択的に動作させる切り換え手段とを有するダスト捕集部と、このダスト捕集部の下流側に配置されて、濾紙上に捕集されたダストから放射される放射線を計測する検出器と、濾紙の目詰まり状態を検知する手段と、目詰まり検知信号の発生に基づいて、その目詰まりが計測サイクル期間中であれば、集塵領域を切り換える制御手段と、を備えている。
【００１２】
この発明においては、検出器の位置に搬送された濾紙の計測が終了するまでに、すなわち計測サイクル期間中に、濾紙が目詰まりした場合には、制御手段が切り換え手段を駆動させて未集塵の濾紙位置に集塵位置を切り換えることができるので、濾紙を搬送しなくても集塵及び待機・計測を継続することができる。
請求項２の発明は、請求項１のダストモニタにおいて、前記所定のピッチと、前記所定の間隔と、ダスト捕集部の最下流の集塵領域と検出器との間隔と、が同じである。
【００１３】
このようにすれば、ダストモニタの構成が最もコンパクトになる。
請求項３の発明は、請求項２に記載のダストモニタの運転方法であって、目詰まりした濾紙の放射線を計測する状態でない場合には、ダスト捕集部の最下流の集塵領域で所定ダスト捕集時間にわたってダストを濾紙上に捕集し、ダスト捕集終了時から所定待機時間を経過した後に、所定計測時間をかけて捕集したダストの放射線を計測し、ダストを捕集している集塵領域上の濾紙が計測サイクル期間中に目詰まりした場合には、切替え手段によって、ダストを捕集する集塵領域をその隣の集塵領域へ切替え、更に、切り換えた集塵領域上の濾紙が目詰まりした場合には次の集塵領域に切り換えるということを繰り返して、所定計測時間の計測が終了するまでは濾紙を搬送せず、計測が終了して濾紙を搬送する際に、集塵状態にある濾紙位置のダスト捕集時間が所定ダスト捕集時間に達している場合には、集塵領域を切り換えず、該ダスト捕集時間が所定ダスト捕集時間に達していない場合には、集塵領域を１つ検出器側に切り換える。
【００１４】
この発明においては、検出器の位置に搬送された濾紙の計測が終了するまでに濾紙が目詰まりした場合には、濾紙の集塵領域を切り換えて、濾紙の目詰まりによっては濾紙を搬送しないので、待機を含めた計測が目詰まりによって中断されることはない。また、計測が終了して濾紙を搬送する際に、集塵時間が所定集塵時間に達している場合には、集塵領域を切り換えず、所定集塵時間に達していない場合には、集塵領域を１つ検出器側に切り換えるので、その時点で、集塵時間が所定集塵時間に達していれば、次の集塵位置で新たに集塵が始められ、所定集塵時間に達していなければ、同じ濾紙位置で集塵が継続されて、所定集塵時間を確保することができる。
【００１５】
請求項４の発明は、請求項３の発明において、前記所定待機時間と前記所定計測時間との合計時間を所定濾紙送り間隔とし且つ所定ダスト捕集時間とし、濾紙が目詰まりした場合には、所定濾紙送り間隔毎の計測に加えて、所定濾紙送り間隔の途中に挿入しても、待機時間を所定待機時間以上とすることができ、且つ計測時間を所定計測時間と同じにすることができるという条件を満たす場合には、所定濾紙送り間隔の途中にも計測を挿入して、目詰まりした濾紙位置の計測を実行し、目詰まりした濾紙位置の次の濾紙位置でのダスト捕集時間を、目詰まりを発生した所定濾紙送り間隔内でのダスト捕集時間分だけ所定ダスト捕集時間より延長する。
【００１６】
この発明においては、所定濾紙送り間隔毎に計測結果が得られ、目詰まりした場合には、その次以降の所定濾紙送り間隔の途中に、所定待機時間と所定計測時間を確保した計測結果が追加されるので、所定の計測精度が確保でき、且つ、途中に追加される計測結果を除いて、計測結果を取得する時刻を予め設定することができる。
【００１７】
請求項５の発明は、請求項３の発明において、前記所定待機時間と前記所定計測時間との合計時間を所定濾紙送り間隔とし且つ所定ダスト捕集時間とし、濾紙が目詰まりした場合には、まず待機時間を所定待機時間より短縮し、更に、計測時間を所定計測時間より短縮して、目詰まりした濾紙位置の計測を１回の所定濾紙送り間隔内で実行し、目詰まりした濾紙位置の次の濾紙位置での集塵時間を、目詰まりを発生した所定濾紙送り間隔内での集塵時間分だけ所定集塵時間より延長する。
【００１８】
この発明においても、請求項４の発明と同様に、所定濾紙送り間隔毎に計測結果が得られ、目詰まりした場合には、その次の所定濾紙送り間隔の途中に計測結果が追加されるので、計測結果を取得する時刻を予め設定することができ、目詰まりした濾紙位置の計測結果も早く把握できる。
請求項６の発明は、請求項３の発明において、前記所定待機時間と前記所定計測時間との合計時間を所定濾紙送り間隔とし且つ所定ダスト捕集時間とし、目詰まりした濾紙位置の計測を、待機時間として少なくとも所定待機時間を確保した後に所定計測時間をかけて実行し、目詰まりした濾紙位置の次の目詰まりしていない濾紙位置に対しては、目詰まりした濾紙位置の計測が終了した時点で、集塵時間が所定集塵時間に達している場合には即刻に、集塵時間が所定集塵時間に達していない場合には、集塵時間が所定集塵時間に達した時点で、濾紙が目詰まりしていない場合の所定濾紙送り間隔での集塵、待機及び計測のタイミングに戻す。
【００１９】
この発明においては、目詰まりした濾紙位置の計測においても、所定待機時間及び所定計測時間が確保されているので、目詰まりした濾紙位置でも所定の計測精度が確保でき、且つ、目詰まりした濾紙位置の計測が所定濾紙送り間隔に制約されないで実行されるので、目詰まりした濾紙位置の計測結果を早く把握することができる。
【００２０】
【発明の実施の形態】
この発明によるダストモニタは、その基本構成においては図６と同じであるが、濾紙４によって集塵する部分（ダスト捕集部）に、濾紙送りピッチで配置された複数の集塵領域とこれらの集塵領域を切り換える手段とを有することが、従来技術のダストモニタと異なる点であり、待機を含めた計測の途中（計測サイクル期間中）に、集塵中の濾紙が目詰まりした場合には、濾紙の集塵位置を切り換えることで対応して、所定の計測を終了するまでは濾紙を搬送せず、計測を終了して濾紙を搬送する際に、集塵時間が所定集塵時間に達している場合には、集塵領域を切り換えないで、新しい濾紙位置で集塵を開始させ、所定集塵時間に達していない場合には、集塵領域を１つ検出器側に戻して、同じ濾紙位置で集塵を継続させ、目詰まりした濾紙位置の計測が完了した時点では、集塵領域が最初の集塵領域に戻っているようにする。
【００２１】
まず、この発明によるダストモニタの実施の形態について実施例を用いて説明する。
なお、従来技術と同じ機能の部分には同じ部号を付ける。
〔ダストモニタの実施例〕
この発明によるダストモニタは、図６と同じ全体構成をしているので、ここでは全体構成の説明を省略する。
【００２２】
この実施例の特徴は、上述したように、そのダスト捕集部にある。図１は、そのダスト捕集部の構成を示す概念図である。この実施例では、図１に示されるダスト捕集部が、図６の濾紙４に相当する位置に配置されている。
このダスト捕集部は、上述したように、濾紙４の搬送方向に濾紙送りピッチＬを隔てて等間隔に並んだ３つの集塵領域311 、312 及び313 をもつ吸引ヘッド31a と、集塵領域を切り換えるための切り換え手段である電磁弁32と、で構成されている。３つの集塵領域は、検出器７と濾紙供給部41との間に配置され、検出器７に最も近い最初の集塵領域311 は検出器７から濾紙送りピッチＬだけ離れており、更に濾紙供給部41側に、２番目の集塵領域312 及び３番目の集塵領域313 がある。電磁弁32は、３つの集塵領域のそれぞれの吸引ポンプ１側に設置されている。
【００２３】
このように構成されたダスト捕集部をもつダストモニタにおいて、濾紙４が目詰まりしていない状態では、濾紙４が、所定集塵時間と同じである所定濾紙送り間隔毎に濾紙送りピッチＬずつ搬送され、最初の集塵領域311 上で集塵し、検出器７の位置に搬送されて、所定待機時間後に所定計測時間をかけて計測される。この状況は従来のダストモニタの場合と変わらない。
【００２４】
しかし、待機を含めた計測が終了しない内に、集塵中の濾紙４が目詰まりした場合には、集塵領域が、切り替え手段である電磁弁32によって、最初の集塵領域311 からその隣の２番目の集塵領域312 へ切り替えられ、更に、２番目の集塵領域312 でも濾紙４が目詰まりした場合には３番目の集塵領域313 に切り換えられる。ダストモニタの集塵条件は、普通の状態では所定集塵時間内には濾紙４が目詰まりしない条件に設定されており、３番目の集塵領域313 まで目詰まりすることは非常に稀であると想定されるので、２番目の集塵領域312 または３番目の集塵領域313 での集塵中に、計測が終了する。
【００２５】
なお、濾紙４の目詰まりは、ポンプ１が所定の流量を維持できなくなった状態を流量計５で検出することで検知される。すなわち、流量計５が濾紙４の目詰まり状態を検知する手段を兼ねている。この目詰まり検知信号によって、不図示の制御部が、電磁弁32を駆動して集塵領域を切り換える。
このようにして、待機を含めた計測が終了しない内に、集塵中の濾紙４が目詰まりした場合には、集塵領域が濾紙供給部41側の集塵領域に切り換えられて、その集塵領域で新たな集塵が開始され、濾紙４は搬送されないので、所定の計測を終了させることができ、且つ集塵を中断することもない。
【００２６】
所定の計測が終了すると、濾紙４が濾紙送りピッチＬだけ搬送され、且つ集塵領域が検出器７側に１つ切り換えられて、同じ濾紙位置で集塵が継続され、最初の集塵領域311 で目詰まりした濾紙位置が必要な待機時間と必要な計測時間とをかけて計測される。
ここで、「必要な待機時間」、「必要な計測時間」と記したのは、運転方法によっては、目詰まりした濾紙位置の待機時間及び計測時間を所定時間より短縮して必要最少限度の時間にする場合があるからである。
【００２７】
この計測が終了すると、この時点で集塵している濾紙位置の集塵時間が所定集塵時間に達しているか否かを判定されて、達している場合には、濾紙が濾紙送りピッチＬだけ搬送されて、新しい濾紙位置での集塵が始まり、達していない場合には、濾紙が濾紙送りピッチＬだけ搬送され、且つ集塵領域が検出器７側に１つ切り換えられて、同じ濾紙位置での集塵が継続される。検出器７の位置へ搬送された濾紙位置は、その前の状態が待機状態であった場合には必要な待機時間に達するまで待機状態を継続し、集塵状態であった場合には待機状態になる。
【００２８】
このようにして、目詰まりした濾紙位置の計測が終了すると、集塵領域は最初の集塵領域311 に戻り、次の目詰まりの発生に備える。
以上においては、３つの集塵領域をもつダスト捕集部の場合について説明してきたが、この発明はこれに限定されるものではなく、複数の集塵領域をもつもの全てを含んでいることは言うまでもないであろう。
【００２９】
また、この実施例においては、検出器７と最初の集塵領域311 との距離が濾紙送りピッチＬに設定されているが、この距離を濾紙送りピッチＬの整数倍に設定することも可能である。この場合には、待機専用の位置が検出器７と最初の集塵領域311 と間に設けられることになる。
次に、この発明によるダストモニタの運転方法の実施の形態について実施例を用いて説明する。
【００３０】
以下の説明においては、所定濾紙送り間隔すなわち所定集塵時間を３時間、所定待機時間を２時間、所定計測時間を１時間とし、最初の集塵領域311 をNo1 、２番目の集塵領域312 をNo2 、３番目の集塵領域313 をNo3 と記し、濾紙位置を搬送順にＡ、Ｂ、Ｃ、Ｄ等とアルファベット順に記し、従来技術の項と同様に、時刻T11 等を単にT11 等と記す。
【００３１】
T11 、T21 及びT31 等は、所定濾紙送り間隔に対応する濾紙送りの時刻であり、T31a、T41a及びT31a等は、一部の所定濾紙送り間隔が短縮されたことによって前倒しされた所定濾紙送り間隔に対応する濾紙送りの時刻であり、T31'は所定濾紙送り間隔の途中に挿入された濾紙送りの時刻である。
T12 、T22 及びT32 等は、所定濾紙送り間隔に対応する計測の開始時刻であり、この時刻から計測を始めると、次の濾紙送りまでに所定計測時間を確保することができる。T22a、T32a及びT22b等は、一部の所定濾紙送り間隔が短縮されたことによって前倒しされた所定濾紙送り間隔に対応する計測の開始時刻であり、T22'は所定濾紙送り間隔の途中に挿入された計測の開始時刻である。
【００３２】
T13 、T14 及びT15 は、目詰まりが発生した時刻である。
なお、従来技術に対応する時刻には同じ符号を付けている。
〔運転方法の第１の実施例〕
この実施例の特徴は、濾紙が目詰まりした場合にも、濾紙が目詰まりしていない場合と同じタイミング（所定濾紙送り間隔毎）で計測を開始し且つ濾紙を搬送し、必要に応じて、所定濾紙送り間隔の途中に、待機時間を所定待機時間以上とすることができ且つ計測時間を所定計測時間と同じにできる場合に限り、計測及び濾紙送りを追加することであり、追加計測分を除いて、計測結果は所定濾紙送り間隔毎の一定間隔で得られる。
【００３３】
図２及び図４は、この実施例を示すタイムチャートであり、図２は１回だけ目詰まりした場合を示し、図４は同じ所定濾紙送り間隔中に２回の目詰まりを発生した場合を示している。
まず、図２にしたがって、１回だけ目詰まりした場合を説明する。
目詰まりすることなく経過してきた濾紙位置Ａまでは、No1 （集塵領域311 ）で集塵されるが、それに続くT11 からの所定濾紙送り時間間隔の途中（T13 ）において、No1 で集塵中の濾紙位置Ｂが目詰まりして、集塵領域がNo1 からNo2 （２番目の集塵領域312 ）へ切り換えられ、濾紙位置Ｃでの集塵となる。この時点T13 は濾紙位置Ａの計測の途中であるけれども、集塵領域が切り換えられるだけで、濾紙は搬送されないから、濾紙位置Ａの計測には全く影響がなく、濾紙位置Ａは所定計測時間をかけて計測される。
【００３４】
濾紙位置Ａの計測の終了時点は、所定濾紙送り間隔の濾紙送り時点（T21 ）と一致するので、この時点で、濾紙が搬送ピッチＬだけ搬送されて、途中で目詰まりした濾紙位置Ｂが検出器の位置に移動して待機状態となり、濾紙位置ＣはNo1 に移動する。しかし、濾紙位置Ｃでは所定集塵時間の集塵を完了していないので、濾紙位置Ｃでの集塵が継続できるように、集塵領域がNo2 からNo1 へ切り換えられる。
【００３５】
T21 からの所定濾紙送り間隔（T21 〜T31 ）においては、濾紙位置Ｂは、所定計測時間が確保できる時点T22 まで待機して計測され、濾紙位置Ｃは、その時間間隔全部にわたって集塵する。したがって、濾紙位置Ｂの待機時間及び濾紙位置Ｃの集塵時間は、T13 〜T21 に相当する時間分だけ長くなる。
待機時間が長くなるのは、従来技術の項で説明したように、計測精度を良くするので何ら問題はない。また、集塵時間が長くなるのは、必要とする計測量が単位空気量当たりの放射線数として求められるので、計測結果にそのまま影響することはない。
【００３６】
なお、当然のことながら、目詰まりした濾紙位置の集塵時間は短くなっているが、上記と同様に、必要とする計測量が単位空気量当たりの放射線数として求められるので、計測結果にそのまま影響することはない。
T31 においてもT21 と同様に、濾紙が搬送ピッチＬだけ搬送されて、濾紙位置Ｃが検出器７の位置に移動し、濾紙位置ＤがNo1 で集塵を開始する。
【００３７】
T31 からの所定濾紙送り時間間隔においては、濾紙位置Ｄの集塵は初期状態に復帰するが、濾紙位置Ｃでの計測の結果の算出には、長くなった集塵時間による濾紙通過空気量の増加を反映させることが必要である。
以上の説明から明らかなように、１回だけの目詰まりや間欠的な目詰まりは、目詰まりした濾紙位置の待機時間が延長し、その次の濾紙位置の集塵時間が延長するだけで済み、所定濾紙送り間隔の途中に計測が追加されることはない。
【００３８】
以上では、１回だけ濾紙が目詰まりした場合を説明してきたが、連続する幾つかの所定濾紙送り間隔内で１回ずつ濾紙が目詰まりした場合においては、目詰まりの発生タイミングによって、集塵時間が所定集塵時間から増減するが、待機時間は必ず所定待機時間より長くなるので、状況は１回だけの目詰まりの場合と同様である。
【００３９】
次に、図４にしたがって、同じ所定濾紙送り間隔中に２回の目詰まりを発生した場合を説明する。
図４は、T11 からの所定濾紙送り間隔（T11 〜T21 ）の途中のT14 及びT15 でそれぞれ濾紙位置Ｂ及び濾紙位置Ｃが目詰まりし、T14 が放射線計測を開始するT12 より前にある場合である。
【００４０】
この場合には、T14 がT12 より前にあるので、T14 から濾紙位置Ｃの計測開始時刻T22 までの時間（T14 〜T22 ）が所定濾紙送り時間より長くなるので、濾紙位置Ｂの計測を濾紙位置Ｃの計測の前に追加することが可能である。したがって、T21 からの所定濾紙送り間隔（T21 〜T31 ）の内で、所定条件を満たして、濾紙位置Ｂ及び濾紙位置Ｃを計測することが可能である。なお、濾紙位置Ｂの計測を終了して濾紙を搬送する際には、集塵中の濾紙位置Ｄでの集塵を継続させるために集塵領域をNo2 からNo1 に切り換える。
【００４１】
図４の場合と異なって、T14 がT12 より後にある場合を想定すると、この場合にはT14 〜T22 が所定濾紙送り時間より短くなるので、待機時間を所定待機時間以上にし且つ計測時間を所定計測時間にして濾紙位置Ｂを計測することはできなくなり、次の所定濾紙送り間隔（T31 〜T41 ）の内で、濾紙位置Ｃ及び目詰まりしなかった濾紙位置Ｄの放射線計測を実行することになる。
【００４２】
このような状況は、所定濾紙送り間隔を３時間、所定待機時間を２時間、所定計測時間を１時間としたことによるものであり、これらの設定条件を変更することによって、目詰まりした濾紙位置の計測が後送りされたりされなかったりする。上記の時間設定であれば、同じ所定濾紙送り間隔の内では、３回の計測まで実行できるので、目詰まりした濾紙位置の計測が後送りされた場合には、その次の所定濾紙送り間隔内で３回の計測が実行されることもある。
【００４３】
〔運転方法の第２の実施例〕
この実施例の特徴は、濾紙が同じ所定濾紙送り間隔の内で２回以上の目詰まりを発生した場合には、目詰まりした所定濾紙送り間隔の次の所定濾紙送り間隔の内に、必要に応じて計測の待機時間及び計測時間を所定時間より短縮しても、その所定濾紙送り間隔内で目詰まりした全ての濾紙位置を計測して、濾紙が目詰まりしていない場合と同じタイミング（所定濾紙送り間隔毎）で計測を終了させて濾紙を搬送することであり、目詰まりした濾紙位置の全ての計測結果がその次の所定濾紙送り間隔の内に得られ、所定濾紙送り間隔の途中に得られる目詰まりした濾紙位置の計測結果の一部を除いて、計測結果が所定濾紙送り間隔毎の一定間隔で得られる。
【００４４】
この実施例のタイムチャートは示していないが、図４において、T14 がT12 より後にある場合や４つの集塵領域があって同じ所定濾紙送り間隔内で３回の目詰まりを発生した場合等が、この実施例の適用対象となる。
前者の場合には、計測時間として所定計測時間を確保しようとすると、待機時間として所定待機時間を確保することができず、後者の場合には、３回分の所定計測時間だけで所定濾紙送り間隔となるので、最初の目詰まり位置の待機時間は所定待機時間を確保することができなず、２番目の目詰まり位置も所定待機時間を確保することができない可能性がある。待機時間が所定待機時間に比べて大幅に短くなる場合には、計測時間を所定計測時間より短縮して、待機時間の短縮を軽減することが有効である場合もある。
【００４５】
この実施例は、このような場合に、計測精度をある程度まで犠牲にしても、計測結果を早い時点で取得しようとするものである。
前者の場合に対する実施例を、図４になぞらえて説明すると、
T11 からの所定濾紙送り間隔（T11 〜T21 ）の途中のT14'及びT15'で濾紙位置Ｂ及び濾紙位置Ｃがそれぞれ目詰まりし、T14'が、放射線計測を開始するT12 より後にある。
【００４６】
T21 からの所定濾紙送り間隔（T21 〜T31 ）において、濾紙位置Ｂを所定待機時間後に所定計測時間をかけて計測すると、その計測終了時点がT22 より後になるから、濾紙位置Ｃの計測時間が所定計測時間を確保できなくなる。濾紙位置Ｃの計測時間を所定計測時間にするためには、T22 以前に濾紙位置Ｂの計測を終了させればよいから、濾紙位置Ｂの待機時間を所定待機時間よりT12 〜T14'に相当する時間分だけ短縮すればよく、この時間短縮で両濾紙位置の計測時間を所定計測時間どおりに維持することができる。
【００４７】
勿論、計測時間を短縮して、待機時間を所定どおりとすることも可能であり、濾紙位置Ｃの計測時間を短縮することも可能であり、それぞれを短縮することも可能である。短縮の仕方は、目詰まりした濾紙位置の数とタイミングによって決めればよく、できる限り計測精度を低下させないことが最も重要である。
〔運転方法の第３の実施例〕
この実施例の特徴は、濾紙が目詰まりした場合には、目詰まりした濾紙位置の全てを、待機時間が所定待機時間に達した時点で開始して所定計測時間をかけて計測する。したがって、この実施例では、濾紙が目詰まりした時点以降の計測タイミングが、目詰まり前のタンミングから外れるけれども、所望の計測精度を確保し、且つできる限り早い時点で目詰まりした濾紙位置を計測することが可能となる。
【００４８】
図３及び図５は、この実施例を示すタイムチャートであり、図３は１回だけ目詰まりした場合を示し、図５は同じ所定濾紙送り間隔中に２回の目詰まりを発生した場合を示しており、目詰まりの発生時点は図２及び図４と同じである。
図３の場合には、目詰まりした濾紙位置Ｂは、待機時間が所定待機時間に達した時点T22aで直ちに所定計測時間をかけて計測されているので、濾紙位置Ｂの計測終了時点T31aが、所定濾紙送り間隔毎の計測終了時点T31 から外れている。
【００４９】
図５の場合には、前に目詰まりした濾紙位置Ｂは、待機時間が所定待機時間に達した時点T22'で直ちに所定計測時間をかけて計測される。濾紙位置Ｂの計測終了時点T31'で濾紙が搬送されて、後で目詰まりした濾紙位置Ｃが検出器位置にくる。この時点T22bで濾紙位置Ｃの待機時間は所定待機時間に達しているので、直ちに濾紙位置Ｃの計測が開始され、所定計測時間後のT31bに計測が終了する。この時点T31aも所定濾紙送り間隔毎の計測終了時点T31 から外れている。
【００５０】
このように、この実施例によれば、目詰まりした濾紙位置の計測終了時点（図３ではT31a、図５ではT31b）が、所定濾紙送り間隔毎の計測終了時点（T31 ）から外れる。しかし、目詰まりした濾紙位置が所定待機時間及び所定計測時間をかけて計測されるので、所望の計測精度を確保することができ、且つ目詰まりした濾紙位置の次の濾紙位置の集塵時間は、目詰まりした濾紙位置の全ての計測が終了した時点で、所定集塵時間に達しており、目詰まりした濾紙位置の計測が終了すると、濾紙送り間隔は所定濾紙送り間隔に戻る。
【００５１】
なお、目詰まり発生のタイミングよっては、前の計測終了時から次の計測開始時までの間に待機時間を入れることが必要となる場合もある。
以上の実施例においては、検出器７と最初の集塵領域311 との距離が濾紙送りピッチＬに設定されていて、所定濾紙送り間隔（所定集塵時間）が所定待機時間と所定計測時間の合計と同じである場合の運転方法を説明したが、待機専用の位置が検出器７と最初の集塵領域311 と間に設けられる場合には、濾紙が待機専用位置及び検出器位置に留まっている時間が、所定集塵時間より長くなるので、所定待機時間及び所定計測時間のいずれかまたは両方を、所定集塵時間より長くしたい場合には、その長さに合わせて待機専用位置の数を選定すればよい。
【００５２】
【発明の効果】
請求項１の発明においては、検出器の位置に搬送された濾紙の計測が終了するまでに、すなわち計測サイクル期間中に、濾紙が目詰まりした場合には、制御手段が切り換え手段を駆動させて未集塵の濾紙位置に集塵位置を切り換えることができるので、濾紙を搬送しなくても集塵及び待機・計測を継続することができる。したがって、この発明によれば、待機を含めた計測が濾紙の目詰まりによって中断されることがなくて、濾紙の切断及びその部分の計測という面倒な作業や別の放射線計測装置を必要としないので、環境の放射性ダスト汚染の監視が、容易になり且つ時期を失しないで実施でき、更に、別の放射線計測装置のための投資が不要となる。
【００５３】
請求項２の発明においては、所定のピッチと、所定の間隔と、ダスト捕集部の最下流の集塵領域と検出器との間隔と、が同じであるので、ダストモニタを最もコンパクトに構成することができる。
請求項３の発明においては、検出器の位置に搬送された濾紙の計測が終了するまでに濾紙が目詰まりした場合には、濾紙の集塵領域を切り換えて、濾紙の目詰まりによっては濾紙を搬送しないので、待機を含めた計測が目詰まりによって中断されることはない。また、計測が終了して濾紙を搬送する際に、集塵時間が所定集塵時間に達している場合には、集塵領域を切り換えず、所定集塵時間に達していない場合には、集塵領域を１つ検出器側に切り換えるので、その時点で、集塵時間が所定集塵時間に達していれば、次の集塵位置で新たに集塵が始められ、所定集塵時間に達していなければ、同じ濾紙位置で集塵が継続されて、所定集塵時間を確保することができる。したがって、この発明によれば、待機を含めた計測が、従来技術におけるように、濾紙の目詰まりによって中断されることがなく、濾紙の切断及びその部分の計測という面倒な作業や別の放射線計測装置を必要としない。更に、集塵時間として所定集塵時間を確保できるように対応するので、計測の精度を確保することができる。
【００５４】
請求項４の発明によれば、所定濾紙送り間隔毎に計測結果が得られ、目詰まりした場合には、その次以降の所定濾紙送り間隔の途中に、所定待機時間と所定計測時間を確保した計測結果が追加されるので、所定の計測精度が確保でき、且つ、途中に追加される計測結果を除いて、計測結果を取得する時刻を予め設定することができて、計測・監視作業が実施し易くなる。
【００５５】
請求項５の発明によれば、請求項４の発明と同様に、所定濾紙送り間隔毎に計測結果が得られ、目詰まりした場合には、その次の所定濾紙送り間隔の途中に計測結果が追加されるので、途中に追加される計測結果を除いて、計測結果を取得する時刻を予め設定することができて、計測・監視作業が実施し易く、目詰まりした濾紙位置の計測結果も早く把握できる。
【００５６】
請求項６の発明によれば、目詰まりした濾紙位置の計測においても、所定待機時間及び所定計測時間が確保されているので、目詰まりした濾紙位置でも所定の計測精度が確保でき、且つ、目詰まりした濾紙位置の計測が所定濾紙送り間隔に制約されないで実行されるので、目詰まりした濾紙位置の計測結果を早く把握することができる。
【図面の簡単な説明】
【図１】この発明によるダストモニタの実施例のダスト捕集部の構成を示す概念図
【図２】第１の実施例の運転状態例を示すタイムチャート
【図３】第２の実施例の運転状態例を示すタイムチャート
【図４】第１の実施例の別の運転状態例を示すタイムチャート
【図５】第２の実施例の別の運転状態例を示すタイムチャート
【図６】ダストモニタの構成を示す概念図
【図７】ダストモニタの従来例の集塵部近傍を示す概念図
【図８】従来例の運転状態を示すタイムチャート
【符号の説明】
１  ポンプ            ２  送気管
３  集塵部
31, 31a 吸引ヘッド
311  最初の集塵領域   312  ２番目の集塵領域
313  ３番目の集塵領域
32  電磁弁
４  濾紙
41  濾紙供給部        42  濾紙巻取り部
５  流量計            ６  ダスト
７  検出器            ８  計測・演算処理部
９  表示・警報部      10  空気
Ｌ  濾紙送りピッチ
A, B, C 等                濾紙の集塵位置
No1 ，No2 , No3           集塵領域番号
T11, T21, T31a, T31'等    濾紙送り時刻
T12, T22, T22a, T22'等    計測開始時刻
T13, T14, T15             濾紙目詰まり発生時刻
【図１】
0004407054.tif 000002
【図２】
0004407054.tif 000003
【図３】
0004407054.tif 000004
【図４】
0004407054.tif 000005
【図５】
0004407054.tif 000006
【図６】
0004407054.tif 000007
【図７】
0004407054.tif 000008
【図８】
0004407054.tif 000009